(57)【特許請求の範囲】
【請求項１】
容器体の口頸部に装着され、前記容器体内の内容物を発泡部材(４０)を介して泡状にして吐出する吐出ポンプ(３)と、
該吐出ポンプのステムへ連結された押下げ可能なノズルヘッド(５０)と、
該ノズルヘッドの押下げに連動してノズル口を開口すると共に、該ノズルヘッドの上昇に連動して前記ノズル口を閉塞する外気遮蔽機構(５８)とを備えており、
前記吐出ポンプ(３)は、内部を液用ピストンが上下方向に摺動する液用シリンダ(３４)と、内部を空気用ピストン(３８)が上下方向に摺動する空気用シリンダ(３９)と、前記液用シリンダ(３４)からの液体と前記空気用シリンダ(３９)からの空気とが合流する気液混合室(１０)と、該気液混合室(１０)と前記ノズルヘッド(５０)を接続する流路内に設置された発泡部材(４０)と、を備えており、
前記ノズルヘッド(５０)を押し下げることで、前記液用ピストンが前記液用シリンダ(３４)内に押し込まれるとともに前記空気用ピストンが前記空気用シリンダ(３９)内に押し込まれ、前記液用シリンダ内の液体及び前記空気用シリンダ内の空気が前記気液混合室(１０)内にそれぞれ圧送されて混合され、この気液混合体が前記発泡部材(４０)を通過することで発泡されて泡となり、該泡が前記ノズル口から吐出される吐出容器において、
上記ステムを、上記気液混合室(１０)を内蔵する下ステム(３２)、及び、下ステム(３２)の上部に連結されるとともに発泡部材(４０)を内蔵する上ステム(３１)で形成し、上記下ステム(３２)の下部を、外筒部(３２ｃ)とこの外筒部(３２ｃ)より長い内筒部(３２ｂ)とからなる二重筒状に形成し、筒状に形成した設けた液用ピストン(３３)の下部を液密に液用シリンダ(３４)内に液密に嵌挿するとともに、液用ピストン(３３)の上部をそれら外筒部(３２ｃ)及び内筒部(３２ｂ)の間に挿入させたことを特徴とする、吐出容器。
【請求項２】
前記外気遮蔽機構(５８)は前記ノズルヘッド(５０)と前記ステムとの連通路に前後動自在に挿入された前方付勢状態の棒状弁体(６０)と、
前記ノズルヘッド(５０)の押下げに連動して前記棒状弁体(６０)を後退させることで前記ノズル口を開口させるとともに、前記ノズルヘッドの上昇に連動して前記ノズル口を閉塞するレバー機構(６４)とを備えていることを特徴とする請求項１記載の吐出容器。
【請求項３】
前記レバー機構(６４)は前記ノズルヘッド(５０)に軸支され、かつ一端が前記棒状弁体(６０)の後端に連結されると共に、他端が前記ステム(３１)上端に装着されたレバー受け筒(５３)へ係合されていることを特徴とする請求項２記載の吐出容器。
【請求項４】
発泡部材(４０)はメッシュ体からなる発泡エレメントから構成されていることを特徴とする請求項１から３のいずれか１項記載の吐出容器。
【発明の詳細な説明】
【技術分野】
【０００１】
本発明は吐出容器に関する。
【背景技術】
【０００２】
容器体内の内容物をメッシュ体からなる発泡エレメントで構成される発泡部材を介して泡状にして吐出する吐出ポンプが従来技術として知られている。
【先行技術文献】
【特許文献】
【０００３】
【特許文献１】特開２０１０−１３２３５１号公報
【発明の概要】
【発明が解決しようとする課題】
【０００４】
しかしながら従来技術では、吐出後、発泡部材がノズルヘッド内へ吸引された外気に触れるため、発泡部材に付着した内容物が固化することとなって、これが原因でノズルヘッドの押下げが重くなったり、整泡がキメ粗くなったり、あるいは吐出流路内に内容物が固化して付着するおそれがあった。
【０００５】
本発明は、上記課題を解決するためになされたもので、吐出後、外気がノズルヘッド内へ吸引されることを防止可能な吐出容器を提供することを目的とする。
【課題を解決するための手段】
【０００６】
上記課題を解決するために、本発明は、容器体の口頸部に装着され、前記容器体内の内容物を発泡部材４０を介して泡状にして吐出する吐出ポンプ３と、
該吐出ポンプのステムへ連結された押下げ可能なノズルヘッド５０と、
該ノズルヘッドの押下げに連動してノズル口を開口すると共に、該ノズルヘッドの上昇に連動して前記ノズル口を閉塞する外気遮蔽機構５８とを備えていることを特徴とする。
【０００７】
また、本発明は、前記吐出ポンプ３は、内部を液用ピストンが上下方向に摺動する液用シリンダ３４と、
内部を空気用ピストン３８が上下方向に摺動する空気用シリンダ３９と、
前記液用シリンダ３４からの液体と前記空気用シリンダ３９からの空気とが合流する気液混合室１０と、
該気液混合室１０と前記ノズルヘッド５０を接続する流路内に設置された発泡部材４０と、
を備えており、
前記ノズルヘッド５０を押し下げることで、前記液用ピストンが前記液用シリンダ３４内に押し込まれるとともに前記空気用ピストンが前記空気用シリンダ３９内に押し込まれ、前記液用シリンダ内の液体及び前記空気用シリンダ内の空気が前記気液混合室１０内にそれぞれ圧送されて混合され、この気液混合体が前記発泡部材４０を通過することで発泡されて泡となり、該泡が前記ノズル口から吐出されており、
さらに上記ステムを、上記気液混合室１０を内蔵する下ステム３２、及び、下ステム３２の上部に連結されるとともに発泡部材４０を内蔵する上ステム３１で形成し、上記下ステム３２の下部を、外筒部３２ｃとこの外筒部３２ｃより長い内筒部３２ｂとからなる二重筒状に形成し、筒状に形成した設けた液用ピストン３３の下部を液密に液用シリンダ３４内に液密に嵌挿するとともに、液用ピストン３３の上部をそれら外筒部３２ｃ及び内筒部３２ｂの間に挿入させたことを特徴とする。
【０００８】
さらに、本発明は、前記外気遮蔽機構５８は前記ノズルヘッド５０と前記ステムとの連通路に前後動自在に挿入された前方付勢状態の棒状弁体６０と、
前記ノズルヘッド５０の押下げに連動して前記棒状弁体６０を後退させることで前記ノズル口を開口させるとともに、前記ノズルヘッドの上昇に連動して前記ノズル口を閉塞するレバー機構６４とを備えていることを特徴とする。
【０００９】
さらに、本発明は、前記レバー機構６４は前記ノズルヘッド５０に軸支され、かつ一端が前記棒状弁体６０の後端に連結されると共に、他端が前記ステム３１上端に装着されたレバー受け筒５３へ係合されていることを特徴とする。
【００１０】
さらに、本発明は、発泡部材４０はメッシュ体からなる発泡エレメントから構成されていることを特徴とする。
【発明の効果】
【００１１】
本発明は、ノズルヘッドの上昇に連動してノズル口を閉塞する外気遮蔽機構を備えているので、吐出後、外気がノズルヘッド内へ吸引されることがなく、このため発泡部材に付着した内容物が固化すること、あるいはノズルヘッドの流路内で内容物が固化することが防止されるため、ノズルヘッドの押下げが重くなったり、整泡のキメが粗くなったり、あるいは流路が狭隘になって流路抵抗が増大することが防止される。
【図面の簡単な説明】
【００１２】
【図１】本発明に係る吐出容器の一部を示す断面図である。
【図２】吐出容器の全体の断面図である。
【図３】他の実施形態の一部を示す断面図である。
【図４】図３の全体を示す断面図である。
【発明を実施するための形態】
【００１３】
以下、本発明の実施の形態について、図面を参照しながら詳細に説明する。なお、説明の便宜上図１の左右方向を前後方向とする。
【００１４】
２は容器体で、胴部上端から肩部を介して口頸部２ａを起立する。
【００１５】
３は吐出ポンプで、装着キャップ３０と、上ステム３１と、下ステム３２と、液用ピストン３３と、液用シリンダ３４と、コイルスプリング３５と、吸込弁３６と、液吐出弁３７と、空気用ピストン３８と、空気用シリンダ３９と、発泡部材４０とを構成要素とする。
【００１６】
装着キャップ３０は、容器体２の口頸部２ａに螺合されるキャップ体であり、内向きフランジ状頂壁３０ａの外周部から筒部３０ｂを垂設するとともに、内周部へ案内筒３０ｄを貫設させている。筒部３０ｂは、上側が縮径された２段の筒になっている。
【００１７】
上ステム３１は、装着キャップ３０の内向きフランジ状頂壁３０ａ内に挿通されており、上ステム３１の上部は、装着キャップ３０の内向きフランジ状頂壁３０ａの上方に突出されており、上ステム３１の下部は、上記内向きフランジ状頂壁３０ａの下方に突出されている。上ステム３１の内周面における上下方向の略中央部には、下方に向って段状に縮径された略円筒形状の内筒部３１ａが垂設されている。また、上ステム３１の下部の外周面には、上ステム３１の径方向外側に向けて突出されたフランジ部３１ｂが、上ステム３１の全周に亘って延設されており、この上ステム３１の外周から垂下する垂下筒３１ｅ下端に外向きフランジ３１ｆが付設されている。また、上ステム３１には、上ステム３１の下部内周面から内筒部３１ａの外周面まで延在するリブ３１ｃが形成されている。この上ステム３１の上部は、内筒部３１ａを介して後述する気液混合室１０に連通されている。
【００１８】
下ステム３２は上ステム３１の下側に直列に連結され、かつ下部が二重筒状に形成されている。下ステム３２の上側の上筒部３２ａは、上ステム３１の下部の内側に挿入されている。この上筒部３２ａの上端部の内側には、上ステム３１の内筒部３１ａが挿入されている。つまり、上筒部３２ａの上端部は、上ステム３１の下部と上ステム３１の内筒部３１ａとの間に嵌合されている。下ステム３２の下側の内筒部３２ｂは上筒部３２ａよりも小径の筒部である。この内筒部３２ｂの内周面には縦溝３２ｆが形成されている。また、内筒部３２ｂの上端には、上方に向けて延設された円筒形状の弁座３２ｄが設けられている。また、下ステム３２の下側の外筒部３２ｃは、上筒部３２ａよりも大径であり、その下端には、下ステム３２の径方向外側に向けて突出されたフランジ部３２ｅが、外筒部３２ｃの外周面全周に亘って延設されている。なお、上記した上筒部３２ａの内部が、液体と気体とを混合させる気液混合室１０になっている。
【００１９】
液吐出弁３７は、上記気液混合室１０内への液体の供給を停止させるための弁体であり、下ステム３２の弁座３２ｄ上に着座および離反可能に載せられた球状の部材である。
【００２０】
液用ピストン３３は、容器軸に沿って延設された略円筒形状の部材であり、その上端部が下ステム３２の内筒部３２ｂと外筒部３２ｃとの間に挿入されている。液用ピストン３３の内周面における上下方向の略中央部には、液用ピストン３３の内周面全周に亘って延設された環状の弁座部３３ａが、液用ピストン３３の径方向内側に向けて突設されている。この弁座部３３ａは、下ステム３２の内筒部３２ｂの下方に配設されている。また、液用ピストン３３の外周面には、液用ピストン３３の径方向外側に向けて突出されたフランジ部３３ｂが、液用ピストン３３の全周に亘って延設されている。このフランジ部３３ｂは、下ステム３２のフランジ部３２ｅの下方に配設されおり、双方のフランジ部３３ｂ、３２ｅは上下に重合されている。
【００２１】
液用シリンダ３４は、容器軸に沿って延設された略円筒形状のものであり、液用ピストン３３の下方に配設されている。液用シリンダ３４の内側には、その上端から液用ピストン３３の下端が挿入されており、液用シリンダ３４の内部を液用ピストン３３が上下方向に摺動可能になっている。液用シリンダ３４の下部の内周面には縦リブ３４ａが形成されている。また、液用シリンダ３４の下端部は、下方に向ってテーパー状に縮径されており、その下端面は開放されている。また、液用シリンダ３４の下端には、接続筒３４ｂが垂設されており、この接続筒３４ｂには、容器体２内の液体を吸引するためのチューブ１１が接続されている。このチューブ１１を介して、液用シリンダ３４の内部は容器体２の内部と連通されている。
【００２２】
コイルスプリング３５は、液用ピストン３３を上方に付勢する付勢部材である。コイルスプリング３５は、上部が液用ピストン３３の内側に配置されるとともに、下部が液用シリンダ３４の内側に配置されており、液用ピストン３３の弁座部３３ａと後述する吸込弁３６の下部弁体３６ｂとの間に介装されている。
【００２３】
吸込弁３６は、液用ピストン３３及び液用シリンダ３４の内側に配置された棒状の部材である。吸込弁３６の中間部は、コイルスプリング３５内に挿通されている。吸込弁３６の上端部には、液用ピストン３３の弁座部３３ａに着座および離反可能な中空逆円錐状の上部弁体３６ａが形成されている。吸込弁３６の下端部には、液用シリンダ３４のテーパー状の下端部に着座および離反可能な下部弁体３６ｂが形成されている。また、下部弁体３６ｂの外周面には、上記縦リブ３４ａに形成された溝の内側に嵌められる凸部３６ｃが突設されている。
【００２４】
空気用ピストン３８は、空気用シリンダ３９の内周面上を摺動する外筒部３８ａと、外筒部３８ａの内側に配設されて上方に向って段状に縮径された環状の段状天板部３８ｂと、段状天板部３８ｂの内側に配設された内筒部３８ｃと、内筒部３８ｃの外周面に嵌合されて段状天板部３８ｂの内周面と内筒部３８ｃの下部外周面との間の隙間を開閉する環状の弁体３８ｄと、が備えられている。内筒部３８ｃは、上下方向中央部分に段部３８ｅがあり、上側が小径で下側が大径の二段の筒体になっている。内筒部３８ｃの上部は、上ステム３１の下端部と下ステム３２の上筒部３２ａとの間に挿入され、内筒部３８ｃの下部は、下ステム３２の外筒部３２ｃに嵌められている。なお、内筒部３８ｃの上部内周面と下ステム３２の上筒部３２ａ外周面との間に、及び、内筒部３８ｃの下部内周面と下ステム３２の外筒部３２ｃ外周面との間には、それぞれ隙間が開けられている。一方、弁体３８ｄの外周面には、弾性変形可能な環状のバネ部３８ｆが全周に亘って突設されており、このバネ部３８ｆの先端部は段状天板部３８ｂの下面に密接されている。
【００２５】
空気用シリンダ３９は、容器軸に沿って延設された有底略円筒形状のものであり、装着キャップ３０の内側に取り付けられている。この空気用シリンダ３９は、液用シリンダ３４と一体的に形成されており、空気用シリンダ３９の底面に上記液用シリンダ３４が垂設されている。空気用シリンダ３９の内部には、空気用ピストン３８が収容されており、空気用シリンダ３９の内部を空気用ピストン３８が上下方向に摺動可能になっている。
【００２６】
発泡部材４０は、気液混合室１０内で混合された気液混合体を発泡させるための部材であり、上ステム３１の内部に設置されている。発泡部材４０は、上ステム３１の上部の内側に嵌合された上下一対の発泡エレメント４０ａ、４０ｂからなる。下側に配された発泡エレメント４０ａは、筒体の下側開口面にメッシュ体４０ｃが張設された構成からなり、上側に配された発泡エレメント４０ｂは、筒体の上側開口面にメッシュ体４０ｃが張設された構成からなる。なお、発泡部材４０の発泡エレメントの数は一対に限らず１つ又は３つ以上であってもよい。
【００２７】
５０はノズルヘッドで、上ステム３１の上端部外面へ嵌合させた二重筒５１の頂壁の中央部から吐出筒５２を起立するレバー受け筒５３と、レバー受け筒５３外面へ上下動自在に嵌合されたカバー筒５４内に収納室５５を形成するとともに、収納室５５下面から連結筒５６を垂下して吐出筒５２の外面へ嵌合させたヘッド外殻５７と、ヘッド外殻５７内に設けられた外気遮蔽機構５８とを備えている。
【００２８】
外気遮蔽機構５８は、収納室５２内へ嵌合され、かつ内面に複数のリブ５９ａが縦設されたノズル筒５９と、ノズル筒５９内に前後動自在に嵌合され、かつノズル口を開閉自在な棒状弁体６０と、棒状弁体６０を前方へ付勢するばね材６１と、レバー機構６２とから構成されている。
【００２９】
レバー機構６２は、カバー筒５４内に形成された左右方向へ長い軸６３と、軸６３に軸支されたレバー６４とから構成され、レバー６４の一端は収納室５５の後壁から突出する棒状弁体６０の後端へ連結されている。レバー６４の他端は二股に形成され、吐出筒５２を摺動自在に挟持した状態でレバー受け筒５３上面へ当接させられている。
【００３０】
上記構成において、ノズルヘッド５０を押下げると、ノズルヘッド５０の小ストローク間はレバー受け筒５３は静止状態を保持するから、レバー６４は軸６３を中心に時計方向へ回動することになり、したがって棒状弁体６０が後方へ移動するため、ノズル筒５９のノズル口が開口し、ここから容器体内容物が泡状となって吐出する。ノズルヘッド５０から手を離すと、ノズルヘッド５０の小ストローク間はレバー受け筒５３は静止状態を保持するため、レバー６４が反時計方向へ回動するとともに、棒状弁体６０が付勢力により前進してノズル口を閉鎖する。したがって、外気がノズルヘッド５０内へ流入することが防止される。
【００３１】
なお、図１および図２ではカバー筒５４の下端外面の前後両部に突部７０が、また案内筒３０ｄの前後両部内面に溝７１がそれぞれ形成されていて、突部７０が溝７１へ摺動自在に嵌合可能に形成されている。したがってカバー筒５４を組付ける際の位置合せが容易である。なお、図３および図４に示すように突部と溝を省略することも可能である。
【産業上の利用可能性】
【００３２】
本発明は、吐出容器の分野に利用することができる。
【符号の説明】
【００３３】
３  吐出ポンプ
３１  上ステム
３２  下ステム
３３  液用ピストン
３４  液用シリンダ
３７  液吐出弁
３８  空気用ピストン
３９  空気用シリンダ
４０  発泡部材
５０  ノズルヘッド
５３  レバー受け筒
５４  カバー筒
５８  外気遮蔽機構
６０  棒状弁体
６４  レバー
【図１】
0005630814.tif 000002
【図２】
0005630814.tif 000003
【図３】
0005630814.tif 000004
【図４】
0005630814.tif 000005